(57)【要約】【課題】微粒子等の捕捉性能に優れ、かつ顔面とマスクとの間の内部空間内の酸素濃度低下を改善することができるマスクを提供する。【解決手段】シートからなるマスク本体部１と、シートからなる耳かけ部２とを備えたマスク１０。マスク本体部１と耳かけ部２の少なくとも１つは、前記シートが他のシートに重ね合わされた重なり部分４で前記シートが互いに接合する１または複数の接合部５を有する。接合部５は、重なり部分４で前記シートが互いに接合しない１または複数の非接合部６に接している。非接合部６は、マスク本体部１内の使用者の呼気を外部に排出可能であり、かつ吸気を流入抑制する。【選択図】図１
2012254272.tif 000002
【特許請求の範囲】
【請求項１】
シートからなるマスク本体部と、前記マスク本体部の両側部にそれぞれ設けられたシートからなる耳かけ部とを備え、
前記マスク本体部と耳かけ部の少なくとも１つは、前記シートが他のシートに重ね合わされた重なり部分で前記シートが互いに接合する１または複数の接合部を有し、
前記接合部は、前記重なり部分で前記シートが互いに接合しない１または複数の非接合部に接し、
前記非接合部は、前記マスク本体部内の使用者の呼気を外部に排出可能であり、かつ吸気を流入抑制することを特徴とするマスク。
【請求項２】
前記マスク本体部は、前縁部の内面どうしが重ね合わされた一対の本体シートからなり、
前記本体シートの後縁部は、前記耳かけ部のシートの前縁部と重ね合わされ、
前記非接合部は、前記本体シートどうしの重なり部分と、前記本体シートと前記耳かけ部との重なり部分とのうち、少なくとも１つに形成されていることを特徴とする請求項１記載のマスク。
【請求項３】
前記非接合部は、前記本体シートと前記耳かけ部との重なり部分の少なくとも１つに形成され、
前記本体シートどうしの重なり部分は、前記縁部の全長にわたって連続的に前記本体シートどうしが接合されていることを特徴とする請求項２記載のマスク。
【請求項４】
前記非接合部は、前記本体シートどうしの重なり部分に形成され、
前記本体シートと前記耳かけ部との重なり部分は、前記縁部の全長にわたって連続的に前記シートどうしが接合されていることを特徴とする請求項２記載のマスク。
【請求項５】
前記マスク本体部に重ねて設置される重ねシートをさらに備え、
前記マスク本体部と前記重ねシートとの重なり部分に、前記非接合部が形成されることを特徴とする請求項１〜４のうちいずれか１項記載のマスク。
【請求項６】
前記マスク本体部のシートの後縁部は、前記耳かけ部のシートの前縁部の外面側に重ね合わされていることを特徴とする請求項１〜５のうちいずれか１項記載のマスク。
【請求項７】
前記マスク本体部は、使用者の顔面に装着するように開いた状態で、顔面から前方に凸状となる立体形をなすことを特徴とする請求項１〜６のうちいずれか１項記載のマスク。
【請求項８】
前記重なり部分は、前記シートの縁部の長さ方向に延在する帯状領域であることを特徴とする請求項１〜７のうちいずれか１項記載のマスク。
【請求項９】
前記非接合部は、前記シートの縁部の全長にわたって断続的に形成されていることを特徴とする請求項１〜８のうちいずれか１項記載のマスク。
【請求項１０】
前記マスク本体部は、複数のシート体の積層体からなることを特徴とする請求項１〜８のうちいずれか１項記載のマスク。
【請求項１１】
前記マスク本体部は、使用者の鼻部の上部を覆う凸状部分である目頭保温部を有することを特徴とする請求項１〜９のうちいずれか１項記載のマスク。
【請求項１２】
前記マスク本体部は、前縁部の内面どうしが重ね合わされた一対の本体シートからなり、
前記非接合部は、前記本体シートどうしの重なり部分の上端部を含む部分に形成されていることを特徴とする請求項１記載のマスク。
【請求項１３】
前記耳かけ部は、耳かけ穴より上部側の上辺部と、前記耳かけ穴より下部側の下辺部とを有し、前記上辺部の張力は前記下辺部の張力より大きいことを特徴とする請求項１〜１２のうちいずれか１項記載のマスク。
【請求項１４】
前記マスク本体部には、これを構成する繊維表面に所定量の正電荷または負電荷を与えて分極させた誘電状態を形成するエレクトレット処理が施されていることを特徴とする請求項１〜１３のうちいずれか１項記載のマスク。
【請求項１５】
前記マスク本体部は、遠赤外線放射素材、金属箔、鉄粉含有発熱材料、血行促進剤、マイナスイオン発生素材、磁石、吸湿発熱素材、および蓄熱シートからなる群から選択された１または２以上を含むことを特徴とする請求項１〜１４のうちいずれか１項記載のマスク。
【請求項１６】
前記マスク本体部は、複数のシートを積層した積層構造を有し、
前記積層されたシート間に、遠赤外線放射素材、金属箔、鉄粉含有発熱材料、血行促進剤、マイナスイオン発生素材、磁石、吸湿発熱素材、および蓄熱シートからなる群から選択された１または２以上を含む層を介装したことを特徴とする請求項１５項記載のマスク。
【請求項１７】
請求項１〜１６のうちいずれか１項記載のマスクが、袋に封入されたことを特徴とするマスク封入体。
【請求項１８】
前記袋は、ガスバリア性または水分バリア性を有することを特徴とする請求項１７記載のマスク封入体。
【請求項１９】
前記袋は、ポリプロピレン、ポリエチレンおよびポリメチルペンテンのうち１または２以上からなることを特徴とする請求項１７または１８記載のマスク封入体。
【請求項２０】
マスク本体部と、前記マスク本体部の両側部にそれぞれ設けられた耳かけ部とを備え、
前記マスク本体部は、一方の側縁部どうしが接合された一対の本体シートからなり、
前記一対の本体シートの前記一方の側縁部は、長さ方向に沿って内面どうしが重ね合わされて複数の接合部で互いに接合され、
前記複数の接合部は、１または複数の非接合部によって前記側縁部の長さ方向に隔てられ、
前記非接合部は、前記マスク本体部内の使用者の呼気を外部に排出可能であり、かつ吸気を流入抑制することを特徴とするマスク。
【発明の詳細な説明】
【技術分野】
【０００１】
本発明は、鼻部の少なくとも一部と口部を覆うように顔に装着されるマスク、およびマスクを袋に収容したマスク封入体に関する。
【背景技術】
【０００２】
風邪などの感染症やアレルギー性疾患を予防することなどを目的として、鼻部および口部を覆うマスクが使用されている。マスクには、微粒子（例えば風邪等の原因となる体液飛沫や、アレルギー性疾患の原因となる花粉、ハウスダストなど）等を捕捉する性能が求められる。
近年では、顔面の形状に応じた立体形状を有するマスクが注目されている。
図３７は、従来のマスクの一例を示すもので、このマスク１１０は、鼻部および口部を覆うマスク本体部１０１と、マスク本体部１０１の両側部にそれぞれ設けられた耳かけ部１０２とを備えている。
マスク本体部１０１は、前方側縁部１０３ａどうしが接合された一対の本体シート１０３からなる。本体シート１０３の前方側縁部１０３ａは略円弧状に湾曲した形状であり、全長にわたって互いに接合されている。
耳かけ部１０２が使用者の耳に掛けられることによって、マスク１１０は使用者の顔面に装着される。本体シート１０３の前方側縁部１０３ａが湾曲した形状となっているため、マスク本体部１０１は顔面の形状に応じた立体形状となり、顔面の広い範囲を覆う。
【先行技術文献】
【特許文献】
【０００３】
【特許文献１】特開２００９−２７３７２６号公報
【発明の概要】
【発明が解決しようとする課題】
【０００４】
従来から、血中の酸素濃度が低下すると健康を害するおそれがあるといわれている。前記マスク１１０では、マスク本体部１０１内の空間に使用者の呼気が充満し、この空間の酸素濃度が低下することによって、使用者の健康に問題が生じるおそれがあった。
通気性の高い素材からなるマスク本体部１０１を使用したり、顔面に対する隙間が大きくなる構造のマスク本体部１０１を採用すれば、呼気の排出性能が高められるため、息苦しさの問題は改善できる。
しかしながら、通気性の高いマスク本体部１０１を使用すると、微粒子（飛沫、花粉など）等がマスク本体部１０１に捕捉されにくくなる。また、顔面に対する隙間が大きくなる構造のマスク本体部１０１を採用すれば、マスク本体部１０１を透過しない呼気および吸気の割合が多くなるため微粒子の捕捉性能が低くなる。このため、マスク内の酸素濃度の改善と捕捉性能の両立は難しかった。
本発明は、上記事情に鑑みてなされたもので、微粒子等の捕捉性能に優れ、かつマスク内の呼気の充満を改善し、この空間の酸素濃度を改善することにより使用者の健康阻害を改善するマスクおよびマスク封入体を提供することを目的とする。
【課題を解決するための手段】
【０００５】
本発明は、シートからなるマスク本体部と、前記マスク本体部の両側部にそれぞれ設けられたシートからなる耳かけ部とを備え、前記マスク本体部と耳かけ部の少なくとも１つは、前記シートが他のシートに重ね合わされた重なり部分で前記シートが互いに接合する１または複数の接合部を有し、前記接合部は、前記重なり部分で前記シートが互いに接合しない１または複数の非接合部に接し、前記非接合部は、前記マスク本体部内の使用者の呼気を外部に排出可能であり、かつ吸気を流入抑制するマスクを提供する。
本発明のマスクは、前記マスク本体部が、前縁部の内面どうしが重ね合わされた一対の本体シートからなり、前記本体シートの後縁部は、前記耳かけ部のシートの前縁部と重ね合わされ、前記非接合部が、前記本体シートどうしの重なり部分と、前記本体シートと前記耳かけ部との重なり部分とのうち、少なくとも１つに形成されている構成が好ましい。
本発明のマスクは、前記非接合部が、前記本体シートと前記耳かけ部との重なり部分の少なくとも１つに形成され、前記本体シートどうしの重なり部分が、前記縁部の全長にわたって連続的に前記本体シートどうしが接合されている構成とすることができる。
本発明のマスクは、前記非接合部が、前記本体シートどうしの重なり部分に形成され、前記本体シートと前記耳かけ部との重なり部分は、前記縁部の全長にわたって連続的に前記シートどうしが接合されている構成とすることができる。
本発明のマスクは、前記マスク本体部に重ねて設置される重ねシートをさらに備え、前記マスク本体部と前記重ねシートとの重なり部分に、前記非接合部が形成される構成とすることができる。
本発明のマスクは、前記マスク本体部のシートの後縁部が、前記耳かけ部のシートの前縁部の外面側に重ね合わされていることが好ましい。
本発明のマスクは、前記マスク本体部は、使用者の顔面に装着するように開いた状態で、顔面から前方に凸状となる立体形をなすことが好ましい。
前記重なり部分は、前記シートの縁部の長さ方向に延在する帯状領域であることが好ましい。
前記非接合部は、前記シートの縁部の全長にわたって断続的に形成されていることが好ましい。
前記マスク本体部は、複数のシート体の積層体からなる構成としてよい。
前記マスク本体部は、使用者の鼻部の上部を覆う凸状部分である目頭保温部を有する構成としてよい。
本発明のマスクは、前記マスク本体部が、前縁部の内面どうしが重ね合わされた一対の本体シートからなり、前記非接合部が、前記本体シートどうしの重なり部分の上端部を含む部分に形成されていることが好ましい。
前記耳かけ部は、耳かけ穴より上部側の上辺部と、前記耳かけ穴より下部側の下辺部とを有し、前記上辺部の張力は前記下辺部の張力より大きい構成としてよい。
本発明のマスクは、前記マスク本体部に、これを構成する繊維表面に所定量の正電荷または負電荷を与えて分極させた誘電状態を形成するエレクトレット処理が施されている構成としてよい。
前記マスク本体部は、遠赤外線放射素材、金属箔、鉄粉含有発熱材料、血行促進剤、マイナスイオン発生素材、磁石、吸湿発熱素材、および蓄熱シートからなる群から選択された１または２以上を含む構成としてよい。
前記マスク本体部は、複数のシートを積層した積層構造を有し、前記積層されたシート間に、遠赤外線放射素材、金属箔、鉄粉含有発熱材料、血行促進剤、マイナスイオン発生素材、磁石、吸湿発熱素材、および蓄熱シートからなる群から選択された１または２以上を含む層を介装した構成としてよい。
本発明は、前記マスクが、袋に封入されたマスク封入体を提供する。
前記袋は、ガスバリア性または水分バリア性を有することが好ましい。
前記袋は、ポリプロピレン、ポリエチレンおよびポリメチルペンテンのうち１または２以上からなることが好ましい。
【０００６】
本発明のマスクは、マスク本体部と、前記マスク本体部の両側部にそれぞれ設けられた耳かけ部とを備え、前記マスク本体部は、一方の側縁部どうしが接合された一対の本体シートからなり、前記一対の本体シートの前記一方の側縁部は、長さ方向に沿って内面どうしが重ね合わされて複数の接合部で互いに接合され、前記複数の接合部は、１または複数の非接合部によって前記側縁部の長さ方向に隔てられ、前記非接合部は、前記マスク本体部内の使用者の呼気を外部に排出可能であり、かつ吸気を流入抑制する。
前記一方の側縁部の内面どうしが重ね合わされた部分は、前記側縁部の長さ方向にわたる帯状領域であることが好ましい。
前記接合部は、前記一方の側縁部の全長にわたって断続的に形成されていることが好ましい。
本発明のマスクは、前記本体シートの他方の側縁部は、長さ方向に沿って耳かけ部の前縁部の外面側に重ね合わされて複数の他方側接合部で互いに接合され、前記複数の他方側接合部は、１または複数の他方側非接合部によって前記他方の側縁部の長さ方向に隔てられ、前記他方側非接合部は、前記マスク本体部内の使用者の呼気を外部に排出可能であり、かつ吸気を流入抑制することが好ましい。
前記本体シートは、複数のシート体の積層体からなる構成としてもよい。
前記マスク本体部は、使用者の鼻部の上部を覆う凸状部分である目頭保温部を有する構成としてもよい。
本発明のマスクは、前記本体シートの一方の側縁部の重ね合わされた部分の上端部を含む部分が前記非接合部とされている構成も可能である。
前記本体シートは、遠赤外線放射素材、金属箔、鉄粉含有発熱材料、血行促進剤、マイナスイオン発生素材、磁石、吸湿発熱素材、および蓄熱シートからなる群から選択された１または２以上を含むものであってよい。
前記耳かけ部は、耳かけ穴より上部側の上辺部と、前記耳かけ穴より下部側の下辺部とを有し、前記上辺部の張力は前記下辺部の張力より大きい構成としてよい。
前記本体シートには、これを構成する繊維表面に所定量の正電荷または負電荷を与えて分極させた誘電状態を形成するエレクトレット処理を施してよい。
前記耳かけ部の外面側には、使用者の耳を覆う耳カバーが設けられていることが好ましい。
【発明の効果】
【０００７】
本発明によれば、非接合部からの呼気排出が可能であるので、使用者の呼気によってマスク本体部の内部空間の気圧が高まると、呼気の一部は非接合部におけるシートの隙間を通して外部に排出される。
このため、呼気の内部空間内での充満を改善し、内部空間内の酸素濃度低下を改善することができる。従って、使用者の健康阻害を低減できる。
また、呼気が非接合部から排出される際には、呼気中の微粒子（体液飛沫など）は非接合部（シート）の内面に吸着され、外部への放出が抑えられる。
一方、吸気の際には、内部空間の気圧低下により非接合部のシートは閉じ合わされ、この隙間からの外気流入は抑制される。
隙間からの外気流入が抑制されるため、吸気として内部空間に導入される外気の大部分はシートを透過する。外気中の微粒子（体液飛沫、花粉など）はシートに捕捉されるため、捕捉性能の低下はない。
従って、本発明によれば、捕捉性能を低下させることなく、内部空間内に呼気が充満することによる酸素濃度低下を改善し、使用者の健康阻害を低減できる。
【０００８】
本発明によれば、本体シートの側縁部の内面どうしが重ね合わされて複数の接合部で互いに接合され、前記接合部間の非接合部からの呼気排出が可能であるので、使用者の呼気によってマスク本体部の内部空間の気圧が高まると、呼気の一部は非接合部における本体シートの隙間を通して外部に排出される。
このため、呼気の内部空間内での充満を改善し、内部空間内の酸素濃度低下を改善することができる。従って、使用者の健康阻害を低減できる。
また、呼気が非接合部から排出される際には、呼気中の微粒子（体液飛沫など）は非接合部（本体シート）の内面に吸着され、外部への放出が抑えられる。
一方、吸気の際には、内部空間の気圧低下により非接合部の本体シートは閉じ合わされ、この隙間からの外気流入は抑制される。
隙間からの外気流入が抑制されるため、吸気として内部空間に導入される外気の大部分は本体シートを透過する。外気中の微粒子（体液飛沫、花粉など）は本体シートに捕捉されるため、捕捉性能の低下はない。
従って、本発明によれば、捕捉性能を低下させることなく、内部空間内に呼気が充満することによる酸素濃度低下を改善し、使用者の健康阻害を低減できる。
【図面の簡単な説明】
【０００９】
【図１】本発明の第１実施形態に係るマスクの斜視図である。
【図２】図１のマスクの折りたたんだ状態の側面図である。
【図３】図１のマスクを使用者の顔に装着した状態を示す斜視図である。
【図４】図１のマスクの断面図であり、（ａ）は全体図、（ｂ）は前方側縁部の拡大図、（ｃ）は後方側縁部の拡大図である。
【図５】図１のマスクの本体シートおよび接合部を示す構成図である。
【図６】図１のマスクの前方側縁部の非接合部の断面図である。
【図７】非接合部の動作を示す断面図である。
【図８】図１のマスクの後方側縁部の非接合部の断面図である。
【図９】図１の後方側縁部側の非接合部の動作を示す断面図である。
【図１０】図１のマスクを装着した際の呼気の流れを示す模式図である。
【図１１】図１のマスクの接合部を示す構成図である。
【図１２】図１のマスクの接合部の変形例を示す構成図である。
【図１３】人体頭部の構造を示す断面図である。
【図１４】本体シートの他の例を用いたマスクの前方側縁部の接合部の断面図である。
【図１５】前図に示すマスクの前方側縁部の非接合部の断面図である。
【図１６】非接合部の動作を示す断面図である。
【図１７】本発明の第２実施形態に係るマスクを使用者の顔に装着した状態を示す斜視図である。
【図１８】本発明の第３実施形態に係るマスクの斜視図である。
【図１９】前図に示すマスクの要部拡大図である。
【図２０】図１８のマスクの折りたたんだ状態の側面図である。
【図２１】図１８のマスクの端部非接合部の断面図である。
【図２２】前図に示す端部非接合部の動作を示す断面図である。
【図２３】図１８のマスクを使用者の顔に装着した状態を示す要部拡大図である。
【図２４】従来のマスクの一例を使用者の顔に装着した状態を示す要部拡大図である。
【図２５】本発明の第４実施形態に係るマスクの要部を拡大した斜視図である。
【図２６】本発明の第５実施形態に係るマスクの折りたたんだ状態の側面図である。
【図２７】前図に示すマスクを使用者の顔に装着した状態を示す斜視図である。
【図２８】本発明の第６実施形態に係るマスクを使用者の顔に装着した状態を示す斜視図である。
【図２９】本発明の第７実施形態に係るマスクの斜視図である。
【図３０】本発明の第８実施形態に係るマスクの斜視図である。
【図３１】本発明の第９実施形態に係るマスクの斜視図である。
【図３２】本発明の第１０実施形態に係るマスクの斜視図である。
【図３３】本発明の第１１実施形態に係るマスクの斜視図である。
【図３４】本発明の第１２実施形態に係るマスクの断面図である。
【図３５】本発明の第１３実施形態に係るマスクの断面図である。
【図３６】本発明のマスク封入体の一例を示す図であり、（ａ）は平面図であり、（ｂ）は断面図である。
【図３７】従来のマスクの一例の斜視図である。
【発明を実施するための形態】
【００１０】
＜第１実施形態＞
図１は、本発明の第１実施形態に係るマスク１０の斜視図である。図２は、マスク１０の折りたたんだ状態の側面図である。図３は、マスク１０を使用者の顔に装着した状態を示す斜視図である。図４は、マスク１０の断面図であり、（ａ）は全体図、（ｂ）は前方側縁部３ａの拡大図、（ｃ）は後方側縁部３ｂの拡大図である。図５は、マスク１０の本体シート１の接合部５および後方接合部１５を示す構成図である。図６および図７は、マスク１０の前方側縁部３ａの非接合部６の断面図である。図８および図９は、マスク１０の後方側縁部３ｂの非接合部１６の断面図である。図１０は、マスク１０を装着した際の呼気の流れを示す模式図である。図１１は、マスク１０の接合部５を示す構成図である。図１２は、マスク１０の接合部５の変形例を示す構成図である。
以下の説明において、図２における左方を前方といい、右方を後方ということがある。マスク１０の前後方向は顔に装着した際に使用者から見た前後方向に対応している。また、上および下とはそれぞれ図２における上下をいう。
【００１１】
図１および図２に示すように、マスク１０は、マスク本体部１と、マスク本体部１の両側部にそれぞれ設けられた耳かけ部２とを備えている。
マスク本体部１としては、ポリオレフィン系材料やポリエステル系材料からなる合成繊維を用いた不織布を使用できる。ポリオレフィン系材料としては、ポリプロピレン、ポリエチレン、ポリ１−ブテンなどがあり、ポリエステル系材料としてはポリエチレンテレフタレートなどがある。マスク本体部１の材料としては、熱可塑性樹脂を使用することもできる。
不織布を構成する繊維は単繊維であってもよいし、複合芯鞘繊維であってもよい。複合芯鞘繊維としては、ポリエステル−ポリエチレン芯鞘繊維、ポリプロピレン−ポリエチレン芯鞘繊維等を使用できる。
【００１２】
マスク本体部１は、前方側縁部３ａ（一方の側縁部）（前縁部）どうしが接合された一対の本体シート３、３からなる。
図２に示すように、本体シート３は、略円弧状に湾曲した前方側縁部３ａと、後方に向け下降する上縁部３ｄと、後方に向け上昇する略直線状の下縁部３ｅと、略直線状の後方側縁部３ｂ（他方の側縁部）（後縁部）とを有する。本体シート３は、前方側縁部３ａから後方に向かって徐々に高さ寸法を減じる形状である。
前方側縁部３ａは前方に向けて凸状となるように湾曲した形状である。このため、マスク本体部１は、使用者の顔面に装着するように開いた状態で、顔面から前方に凸状となる立体形をなす。後方側縁部３ｂの長さ（図２の上下方向の寸法）は前方側縁部３ａに比べて短くされている。
【００１３】
図２〜図５に示すように、一対の本体シート３、３の前方側縁部３ａ、３ａは、長さ方向に沿って内面３ｃ、３ｃが重ね合わされて１または複数の接合部５（一方側の接合部）で互いに接合されている。
図２、図４および図５に示すように、前方側縁部３ａ、３ａの重なり部分４は、前方側縁部３ａの全長にわたる略一定幅の帯状領域であり、図示例では本体シート３の前縁３ｇ（一方側の端縁）から一定幅の領域である。
【００１４】
図４（ｂ）および図５に示すように、接合部５は本体シート３の内面３ｃ、３ｃを互いに接合する部分である。
これら複数の接合部５は、１または複数の非接合部６（一方側の非接合部）（中間非接合部）によって前方側縁部３ａの長さ方向に隔てられて形成されている。図示例では、接合部５は、前方側縁部３ａの全長にわたって断続的に形成された略一定幅の部分である。隣り合う接合部５と非接合部６とは、前方側縁部３ａの長さ方向に隣接している。
【００１５】
接合部５における本体シート３どうしの接合には、本体シート３の素材として熱可塑性樹脂が用いられている場合には熱溶着を採用できる。また、ポリビニルアルコール系などの接着剤によって本体シート３どうしを接合することもできる。
本発明において、シートどうしの接合は、熱溶着、接着剤に限らず、縫製、その他いかなる方法をとることもできる。
接合部５は、本体シート３の重なり部分４の幅方向の一部または全幅を互いに接合することができる。図示例では、接合部５は本体シート３の前縁３ｇから間隔をおいて形成されている。
【００１６】
図５および図６に示すように、非接合部６は、隣り合う接合部５、５の間にあって本体シート３、３が互いに接合されていない部分である。
非接合部６では本体シート３、３は重ね合わされているが、互いに接合されていない。
このため、図７に示すように、非接合部６では本体シート３、３の隙間１１は通気可能であり、この隙間１１を通してマスク本体部１の内部空間２１の気体（呼気）を外部に排出することができる。
呼気が非接合部６から排出される際には、呼気中の微粒子（体液飛沫など）は非接合部６の本体シート３の内面に吸着され、外部への放出が抑えられる。非接合部６は十分な幅があるため、呼気中の微粒子を効果的に吸着し、外部への放出を抑制できる。
図１１に示すように、非接合部６は内外方向に一定間隔であってもよいし、図１２に示すように、外方（矢印方向）に向けて徐々に間隔が狭くなっていてもよい。
図３、図４および図６に示すように、本体シート３の前方側縁部３ａは、使用者６０が装着した状態では前方に突出した形態となる。
【００１７】
図３に示すように、マスク本体部１は、使用者６０の鼻部６１の少なくとも一部と口部６２とを覆うことができるように形成するのが好ましい。
マスク本体部１の後方側縁部３ｂの上端から下端までの高さ範囲の部分を本体部主部１Ａ（図１および図２参照）という。本体部主部１Ａは、使用者６０の鼻部６１の少なくとも一部と口部６２とを覆うことができる。
マスク本体部１の上部の凸状部分１ｃ（本体シート３の後方側縁部３ｂの上端より高い位置にある部分。すなわち本体部主部１Ａから上方に突出した部分）は、目頭６３ａから鼻部６１の上部にかけての複雑形状領域６１ａ（人によって異なり、複雑に起伏する領域）を覆う目頭保温部として機能する。凸状部分１ｃは、鼻部６１の上部を覆う鼻部保温部としても機能する。
図示例では、接合部５の上端５ａは本体部主部１Ａから突出する凸状部分１ｃにあって、鼻部６１の上端６１ｂに係止しており、これによってマスク本体部１はずり落ちずに顔面６０ａに保持される。また、接合部５の上端５ａが鼻部６１の上端６１ｂに係止することによって、マスク本体部１のずり下がりを防止できるだけでなく、マスク本体部１のずり上がりも起こりにくくなる。符号１ａはマスク本体部１の上端（重なり部分４を除いた部分のマスク本体部１の上端）である。符号６３は目である。鼻部６１の上端６１ｂは、側方から見て凹所の最深部となる部位である。
接合部５の上端５ａは、装着時に使用者６０の目頭６３ａどうしを結ぶ線Ｌ１から使用者６０の鼻部６１の上端６１ｂまでの高さ範囲に位置している。
マスク本体部１の下部の凸状部分１ｄ（本体シート３の後方側縁部３ｂの下端より低い位置にある部分）は、本体部主部１Ａから下方に突出した部分である。マスク本体部１の下端１ｂ（重なり部分４を除いた部分のマスク本体部１の下端）は本体部主部１Ａから突出する凸状部分１ｄにあって使用者６０のあご６４に達するように形成することができる。
【００１８】
図１および図２に示すように、耳かけ部２は、マスク本体部１の本体シート３の後方側縁部３ｂから後方に延出して形成されている。耳かけ部２には、使用者６０の耳６５に引っ掛けられる耳かけ穴７が形成されている。Ｐ１は耳かけ部２の上辺部であり、耳かけ穴７より上部側の部分を含む。Ｐ２は耳かけ部２の下辺部であり、耳かけ穴７より下部側の部分を含む。
耳かけ部２は、ポリオレフィン系材料やポリエステル系材料からなる合成繊維を用いた不織布などのシートを使用できる。耳かけ部２はマスク本体部１に比べて伸縮性が高いことが好ましい。例えば、弾性的に伸縮可能な繊維を使用した不織布を用いることができる。
【００１９】
上辺部Ｐ１の張力は、下辺部Ｐ２の張力より大きいことが好ましい。これによって、マスク本体部１がずり落ちるのを防ぎ、マスク本体部１を、接合部５の上端５ａが鼻部６１の上端６１ｂに係止した位置に安定に保持できる。また、上辺部Ｐ１の張力を下辺部Ｐ２の張力より大きくすることで、マスク１０の装着により耳６５にかかる負担を軽減できる。
なお、耳かけ部２はマスク本体部１の一部としてマスク本体部１に一体的に形成されていてもよい。
【００２０】
図２、図４および図８に示すように、本体シート３の後方側縁部３ｂの内面３ｃは、長さ方向に沿って耳かけ部２の前縁部２ａの外面２ｂに重ね合わされており、この帯状の重なり部分８において本体シート３と耳かけ部２は複数の後方接合部１５で互いに接合されている。  なお、本体シート３の後方側縁部３ｂと耳かけ部２の前縁部２ａの重なり部分８は、図示例に限らず、本体シート３の外面と耳かけ部２の内面が重ね合わされていてもよい。
【００２１】
図２および図４（ｃ）に示すように、後方接合部１５（他方側の接合部）は本体シート３の内面３ｃと耳かけ部２の外面２ｂとを接合する部分である。これら複数の後方接合部１５は、１または複数の後方非接合部１６（他方側の非接合部）によって後方側縁部３ｂの長さ方向に隔てられて形成されている。図示例では、後方接合部１５は、後方側縁部３ｂの長さ方向に沿って断続的に形成された略一定幅の部分である。
後方接合部１５における本体シート３と耳かけ部２との接合には、熱溶着や接着剤を用いることができる。
後方接合部１５は、本体シート３と耳かけ部２との重なり部分８の全幅にわたってこれらを互いに接合することもできるし、重なり部分８の幅方向の一部を互いに接合することもできる。
【００２２】
図５および図８に示すように、後方非接合部１６は、隣り合う後方接合部１５、１５の間にあって本体シート３と耳かけ部２とが互いに接合されていない部分である。
後方非接合部１６では本体シート３と耳かけ部２とは重ね合わされているが、互いに接合されていない。このため、図９に示すように、後方非接合部１６では本体シート３と耳かけ部２との隙間１２は通気可能であり、この隙間１２を通してマスク本体部１の内部空間２１の空気を外部に排出することができる。
呼気が後方非接合部１６から排出される際には、呼気中の微粒子（体液飛沫など）は後方非接合部１６（本体シート３）の内面および耳かけ部２の外面２ｂに吸着され、外部への放出が抑えられる。後方非接合部１６は十分な幅があるため、呼気中の微粒子を効果的に吸着し、外部への放出を抑制できる。
【００２３】
本体シート３と耳かけ部２とが重なり部分８において複数の後方接合部１５で互いに接合される構造は、２つの耳かけ部２のうち一方と本体シート３との重なり部分８にのみ採用してもよいし、２つの耳かけ部２の両方について、本体シート３との重なり部分８に採用してもよい。
【００２４】
以下、マスク１０の使用方法について説明する。
図３に示すように、マスク１０は、マスク本体部１が使用者６０の鼻部６１の少なくとも一部と口部６２とを覆うように装着することができる。
図示例では、マスク本体部１の目頭保温部１ｃ（鼻部保温部）が目頭６３ａから鼻部６１の上部にかけての複雑形状領域６１ａ（人によって異なり、複雑に起伏する領域）を覆い、マスク本体部１の接合部５の上端５ａは本体部主部１Ａから突出して鼻部６１の上端６１ｂに達している。マスク本体部１の下端１ｂ（前方側縁部３ａの下端）は本体部主部１Ａから突出して使用者６０のあご６４に達している。
【００２５】
図１３は、人体頭部の構造を示す断面図である。この図において、正中線Ｙの左右に存在する空洞部が鼻腔Ｍである。
この鼻腔Ｍの両側に、それぞれ鼻腔Ｍと連通して、眼腔近辺に達する篩骨洞Ｓ１と、頬骨近辺に達する上顎洞Ｓ２とが副鼻腔である。
図３に示す装着状態にあっては、マスク本体部１によって鼻部６１の大部分が覆われるため、鼻腔Ｍと副鼻腔（篩骨洞Ｓ１および上顎洞Ｓ２）との双方が保温されることになる。
【００２６】
図７および図１０に示すように、本体シート３の前方側縁部３ａの非接合部６では、本体シート３の隙間１１を通した通気が可能である。
このため、使用者６０の呼気によってマスク本体部１の内部空間２１の気圧が高まると、呼気の一部は非接合部６における隙間１１を通して外部に排出される。このため、呼気が内部空間２１内に充満することがなく、内部空間２１内の酸素濃度低下を改善することができる。従って、使用者６０の健康阻害を低減できる。
【００２７】
呼気が隙間１１から排出される際には、気流による気圧低下によって本体シート３、３が互いに離隔しにくくなる。本体シート３は繊維からなる構造体であるため、内面３ｃは微視的には平滑面ではなく凹凸を有することから、呼気中の微粒子（体液飛沫など）は内面３ｃに吸着され、外部への放出が抑えられる。重なり部分４には十分な幅があるため、呼気中の微粒子を効果的に吸着し、外部への放出を抑制できる。
【００２８】
図９および図１０に示すように、使用者６０の呼気の他の一部は、本体シート３の後方側縁部３ｂと耳かけ部２の前縁部２ａとの重なり部分８の後方非接合部１６における隙間１２から外部に排出される。このため、内部空間２１内の酸素濃度の低下を改善し、使用者６０の健康阻害を低減できる。
呼気が隙間１２を通過する際には、気流による気圧低下によって本体シート３と耳かけ部２とが離隔しにくくなるため、呼気中の微粒子の一部は本体シート３の内面３ｃおよび耳かけ部２の外面２ｂに吸着される。重なり部分８には十分な幅があるため、呼気中の微粒子を効果的に吸着し、外部への放出を抑制できる。
【００２９】
図７に示すように、使用者６０の呼気の他の一部はマスク本体部１の本体シート３を透過して外部に排出される。この際、呼気中の微粒子の一部は本体シート３に捕捉される。
【００３０】
図６に示すように、吸気の際には、内部空間２１の気圧低下により非接合部６の本体シート３、３の前方側縁部３ａ、３ａは閉じ合わされ、隙間１１から内部空間２１への外気流入は抑制される。
同様に、図８に示すように、本体シート３の後方側縁部３ｂと耳かけ部２の前縁部２ａとの重なり部分８においても、本体シート３と耳かけ部２とは閉じ合わされ、隙間１２から内部空間２１への外気流入は抑制される。
【００３１】
図６および図８に示すように、隙間１１、１２からの外気流入が抑制されるため、吸気として内部空間２１に導入される外気の大部分は本体シート３を透過する。この際、外気中の微粒子（体液飛沫、花粉など）は本体シート３に捕捉されるため、捕捉性能の低下はない。
従って、マスク１０では、捕捉性能を低下させることなく、内部空間２１内に呼気が充満することによる酸素濃度低下を改善し、使用者６０の健康阻害を低減できる。
【００３２】
本発明のマスクに用いる本体シートは１枚のシート体から構成してもよいし、複数枚のシート体から構成してもよい。
図１４および図１５は、本体シートの他の例を示すもので、図１４は前方側縁部３ａの接合部５の断面図、図１５は非接合部６の断面図である。
本体シート３は、３枚のシート体１３ａからなる積層構造体である。シート体１３ａとしては、ポリオレフィン系材料やポリエステル系材料からなる合成繊維を用いた不織布を使用できる。
シート体１３ａには、エレクトレット化（エレクトレット処理）を施すことができる。
エレクトレット化は、繊維表面に所定量の正電荷または負電荷を与えて分極させた誘電状態を形成する処理である。エレクトレット化処理には、既知の方法、例えばコロナ放電によりシート体１３ａを荷電させる方法を採用できる。
図１６に示すように、呼気が非接合部６の隙間１１を通過する際には、気流による気圧低下によって本体シート３、３どうしが離隔しにくくなるため、呼気中の微粒子（体液飛沫など）の一部はシート体１３ａの内面１３ｃに吸着される。
シート体１３ａがエレクトレット化されることによって、呼気中の微粒子は電気的にシート体１３ａに吸引される。このため、微粒子の吸着性能を高めることができる。
図１５に示すように、吸気の際には、内部空間２１の気圧低下により本体シート３、３は閉じ合わされ、隙間１１から内部空間２１への外気流入は抑制される。
吸気の大部分は本体シート３を透過するため、外気中の微粒子（体液飛沫、花粉など）は本体シート３に捕捉される。
【００３３】
＜第２実施形態＞
図１７は、本発明の第２実施形態に係るマスク２０の斜視図である。マスク２０は一般マスク(一般的形状のマスク)である。以下の実施形態の説明においては、既出の構成については同一符号を付して説明を簡略化または省略することがある。
マスク２０は、図１〜図３等に示すマスク１０とは異なり、マスク本体部１の上縁部１ｄは比較的低い位置にあり、図示例では、上縁部１ｄは目頭６３ａどうしを結ぶ線Ｌ１より下方に位置している。マスク２０のその他の構成はマスク１０と同様とすることができる。
このマスク２０では、マスク１０と同様に、捕捉性能を低下させることなく、内部空間２１内の酸素濃度低下を改善することができる。
【００３４】
＜第３実施形態＞
図１８は、本発明の第３実施形態に係るマスク３０の斜視図である。図１９は、マスク３０の要部拡大図である。図２０は、マスク３０の折りたたんだ状態の側面図である。図２１は、マスク３０の前方側縁部の端部非接合部１７の断面図である。図２２は、端部非接合部１７の動作を示す断面図である。図２３は、マスク３０を使用者の顔に装着した状態を示す要部拡大図である。
【００３５】
図１８〜図２１に示すように、マスク３０は、本体シート３の前方側縁部３ａの上端部３ｆ（重なり部分４の上端部）を含む部分が端部非接合部１７となっていること以外は図１〜図３等に示す第１実施形態のマスク１０と同じ構成である。
図２０に示すように、端部非接合部１７は、前方側縁部３ａの上端から前方側縁部３ａの長さ方向にわたる非接合部分であり、その長さＬ２は例えば５〜７ｍｍとすることができる。端部非接合部１７では、本体シート３、３は重ね合わされているが互いに接合されていないため、力が加えられると姿勢が容易に変化する。
【００３６】
このため、図２２に示すように、本体シート３、３に互いに離れる方向（図２２の左右方向）の力が加えられると、本体シート３の曲げ弾性により、前方側縁部３ａの姿勢は折り曲げ角度が小さくなるよう変化する。例えば、図２１に示す状態では、前方側縁部３ａは他の部分に対してほぼ垂直に折り曲げられているが、図２２に示す状態ではその折り曲げ角度が小さくなっている。
端部非接合部１７では、前方側縁部３ａ、３ａは、前縁３ｇ、３ｇのみが互いに接し、他の部分は互いに離間した姿勢をとることができる。すなわち、前方側縁部３ａ、３ａは、前縁３ｇ、３ｇを残して開いた形態となる。
【００３７】
図２２および図２３に示すように、使用者６０の顔に装着されたマスク３０の端部非接合部１７は、前縁３ｇ、３ｇを残して側方に開いた形態となり、使用者６０の顔面６０ａ、例えば目頭６３ａから鼻部６１の上部にかけての複雑形状領域６１ａ（人によって異なり、複雑に起伏する領域）に接する。端部非接合部１７は、少なくとも目頭６３ａおよびその近傍領域を面密着的に覆う。
端部非接合部１７は、顔面６０ａに沿って広がった状態で複雑形状領域６１ａに面密着的に当接するため、大きな接触面積で複雑形状領域６１ａに接し、複雑形状領域６１ａにおける保温効果を高め、特に目頭や鼻部上部等の花粉症などのアレルギー性疾患の予防および症状緩和を図ることができる。特に、端部非接合部１７が目頭６３ａおよびその近傍領域を覆い、この領域を保温することによって、特に目頭や鼻部上部等のアレルギー性疾患（痒みや鼻水等）を効果的に予防および症状緩和することができる。
【００３８】
マスク３０では、本体シート３（前方側縁部３ａ）の顔面６０ａに対する接触面積が大きくなるため、顔面６０ａに加えられる押圧力が分散されることから、使用者６０の不快感を抑えることができる。
また、図２３に示すように、開いた形態で顔面６０ａに接する端部非接合部１７の曲げ弾性によって、接合部５の上端５ａが顔面６０ａに加える力が緩和される。よって、図２４に示すように、接合部２５が前方側縁部３ａの上端にまで達する従来品に比較して、接合部５が顔面６０ａに当たることによる使用者６０の不快感を抑制できる。
【００３９】
＜第４実施形態＞
図１８〜図２１等に示すマスク３０では、端部非接合部１７において上端部３ｆ、３ｆはほとんど互いに離間していないが、図２５に示すように、端部非接合部１７において上端部３ｆ、３ｆの一部が互いに離間する構成も可能である。
【００４０】
＜第５実施形態＞
図２６は、本発明の第５実施形態に係るマスク４０の折りたたんだ状態の側面図である。図２７は、マスク４０を使用者の顔に装着した状態を示す斜視図である。
マスク４０は、本体シート３の前方側縁部３ａの上端部（重なり部分４の上端部）に切欠き部１８が形成されることによって、本体シート３の上端部３ｈが互いに非接合となっていること以外は図１８〜図２１等に示す第３実施形態のマスク３０と同じ構成である。
切欠き部１８は、前方側縁部３ａの上端から前方側縁部３ａの長さ方向にわたる切り欠き部分であり、その長さＬ３は例えば５〜７ｍｍとすることができる。切欠き部１８の幅は、重なり部分４と同じ幅とすることができる。
切欠き部１８の内縁１８ａ（側縁部）は、前方側縁部３ａに沿う方向に形成されており、切欠き部１８が形成された部分における本体シート３の前方側縁部といえる。この前方側縁部１８ａを含む部分である本体シート３の上端部３ｈは、上方に凸状となっており、マスク２０を装着したときには、一対の本体シート３、３の上端部３ｈ、３ｈは互いに離間した形態となる。
【００４１】
マスク４０では、本体シート３の上端部３ｈが互いに非接合となっているため、上端部３ｈ、３ｈが開いた形態となって目頭６３ａから鼻部６１の上部にかけての複雑形状領域６１ａ（人によって異なり、複雑に起伏する領域）に大きな接触面積で面密着的に当接する。従って、この複雑形状領域６１ａにおける保温効果を高め、特に目頭等の花粉症などのアレルギー性疾患の予防および症状緩和を図ることができる。
【００４２】
＜第６実施形態＞
図２８は、本発明の第５実施形態に係るマスク５０を使用者の顔に装着した状態を示す要部拡大図である。
マスク５０は、耳かけ部２の外面側に、耳６５を覆う耳カバー５１が設けられていること以外は図１〜図３等に示す第１実施形態のマスク１０と同じ構成である。
耳カバー５１は、耳かけ部２とほぼ同じ外形を有する不織布等を使用できる。耳カバー５１の使用により、耳６５（例えば耳介および外耳道）の保温や外気中の微粒子の除去が可能となる。
従って、特に耳介および外耳道などの保温効果を高めるとともに外気中の微粒子を除去し、耳のアレルギー性疾患の予防および症状緩和を図ることができる。
【００４３】
＜第７実施形態＞
図２９は、本発明の第７実施形態に係るマスク１０Ａの斜視図である。
マスク１０Ａは、本体シート３の前方側縁部３ａが全長にわたって連続的に互いに接合されていること以外は図１〜図３等に示すマスク１０と同じ構成である。符号３５は前方側縁部３ａを全長にわたって連続的に接合する接合部である。
【００４４】
＜第８実施形態＞
図３０は、本発明の第８実施形態に係るマスク１０Ｂの斜視図である。
マスク１０Ｂは、本体シート３の前方側縁部３ａの上端部３ｆ（重なり部分４の上端部）を含む部分が端部非接合部１７となっていること以外は図２９に示すマスク１０Ａと同じ構成である。このマスク１０Ｂでは、端部非接合部１７を除く部分の前方側縁部３ａは、接合部４５によって全長にわたって連続的に互いに接合されている。
端部非接合部１７と接合部４５とは、前方側縁部３ａの長さ方向に互いに隣接している。
図示例では、本体シート３と耳かけ部２とは、複数の後方接合部１５で断続的に互いに接合されているが、本体シート３と耳かけ部２とが全長にわたって連続的に互いに接合されていてもよい。
【００４５】
＜第９実施形態＞
図３１は、本発明の第９実施形態に係るマスク１０Ｃの斜視図である。
マスク１０Ｃは、本体シート３の後方側縁部３ｂと耳かけ部２の前縁部２ａとが、接合部７５によって連続的に全長にわたって連続的に互いに接合されていること以外は図１〜図３等に示すマスク１０と同じ構成である。
【００４６】
＜第１０実施形態＞
図３２は、本発明の第１０実施形態に係るマスク１０Ｄの斜視図である。
マスク１０Ｄでは、本体シート３に開口部５４が形成され、開口部５４は、本体シート３に重ねて設けられたカバーシート５３（重ねシート）により覆われている。
図示例では、開口部５４およびカバーシート５３はいずれも略円形であり、カバーシート５３の径は開口部５４の径より大きい。カバーシート５３は開口部５４と同心円をなすように配置されている。このため、開口部５４の内周縁部５４ａは、カバーシート５３の外周縁部５３ａに重ね合わされている。外周縁部５３ａと内周縁部５４ａとの重なり部分５７は略円形のリング形の帯状領域であり、重なり部分５７では、本体シート３とカバーシート５３とが１または複数の接合部５５によって互いに接合されている。
【００４７】
重なり部分５７では、接合部５５と非接合部５６とが互いに隣接している。図示例では、複数の接合部５５が１または複数の非接合部５６によって開口部５４の周方向に隔てられている。
非接合部５６は、マスク本体部１内の使用者の呼気を外部に排出可能であり、かつ吸気を流入抑制可能である。すなわち、呼気は開口部５４から本体シート３とカバーシート５３との隙間を通して排出され、吸気の際には、本体シート３とカバーシート５３とが閉じ合わされて外気流入を抑制する。
マスク１０Ｄでは、本体シート３の前方側縁部３ａは、接合部３５によって全長にわたって連続的に互いに接合されている。本体シート３の後方側縁部３ｂと耳かけ部２の前縁部２ａとは、接合部７５によって全長にわたって連続的に互いに接合されている。
なお、開口部５４およびカバーシート５３は２つの本体シート３のうち一方にのみ設けてもよいし、両方に設けてもよい。また、開口部の形状、形成位置および数は図示例に限定されない。図示例の略円形に限らず、スリット状、矩形状、その他、任意の形状としてよい。開口部の数は１でもよいし、２以上の任意の数でもよい。
【００４８】
＜第１１実施形態＞
図３３は、本発明の第１１実施形態に係るマスク１０Ｅの斜視図である。
マスク１０Ｅでは、本体シート３は、外形が互いに同じ内層１３ａ１と外層１３ａ２とを積層した積層構造を有する。内層１３ａ１および外層１３ａ２は例えば不織布などからなる。内層１３ａ１には、略円形の開口部５４Ａが形成され、開口部５４Ａは、外層１３ａ２（重ねシート）により覆われている。
図示例では、開口部５４Ａ以外の部分の内層１３ａ１は外層１３ａ２に重ね合わされている。内層１３ａ１と外層１３ａ２とが重ね合わされた部分を重なり部分５７Ａという。重なり部分５７Ａのうち、接合部３５（前方側縁部３ａが全長にわたって連続的に接合された部分）と、接合部７５（本体シート３の後方側縁部３ｂと耳かけ部２の前縁部２ａとが連続的に接合された部分）とを除く部分は、これら接合部３５、７５に隣接する非接合部７６となっている。
【００４９】
外層１３ａ２には、開口部５４Ａの内周縁部５４ａよりも径方向外方に、排気口７７を形成することができる。図示例の排気口７７は開口部５４Ａと同心の円弧状のスリットである。排気口７７は、例えば外層１３ａ２に形成された線状の切れ目であってよい。排気口７７の形状、形成位置および数に特に限定はない。図３３の排気口７７Ａは上下方向に沿うスリットであり、後方側縁部３ｂに近い位置に形成されている。排気口７７Ｂは本体シート３の上縁部３ｄに沿うスリットであり、上縁部３ｄに近い位置に形成されている。排気口の数は１でもよいし、２以上の任意の数でもよい。
【００５０】
非接合部７６は、マスク本体部１内の使用者の呼気を外部に排出可能であり、かつ吸気を流入抑制可能である。すなわち、呼気は、開口部５４Ａから出て、内周縁部５４ａから排気口７７にかけての非接合部７６の内層１３ａ１と外層１３ａ２との間を通って排気口７７から排出される。吸気の際には、内周縁部５４ａから排気口７７にかけての非接合部７６の内層１３ａ１と外層１３ａ２とが閉じ合わされて外気流入を抑制する。
また、開口部の形状、形成位置および数も図示例に限定されない。図示例の略円形に限らず、スリット状、矩形状、その他、任意の形状としてよい。開口部の数は１でもよいし、２以上の任意の数でもよい。
マスク１０Ｅは、排気口７７を形成しない構成も可能である。この場合、内層１３ａ１と外層１３ａ２との間の呼気は、例えば本体シート３の上縁部３ｄまたは下縁部３ｅから外部に排出可能としてもよい。
マスク１０Ｅは、内層１３ａ１（マスク本体部）に重ねて設置される外層１３ａ２（重ねシート）を備え、これら内層１３ａ１と外層１３ａ２の重なり部分５７Ａに非接合部７６が形成された構造である。
【００５１】
＜第１２実施形態＞
図３４は、本発明の第１２実施形態に係るマスク１０Ｆの斜視図である。
マスク１０Ｆでは、マスク本体部１が１枚のシートからなること以外は図１〜図３等に示すマスク１０と同じ構成である。
【００５２】
本発明のマスクは、マスク本体部が、遠赤外線放射素材、金属箔、鉄粉含有発熱材料、血行促進剤、マイナスイオン発生素材、磁石、吸湿発熱素材、および蓄熱シートからなる群から選択された１または２以上（以下、機能性材料という）を含む構成としてもよい。
例えば本体シートを構成する少なくとも１つのシート体が、前記機能性材料を含む構成とすることができる。
【００５３】
遠赤外線放射素材とは、人体または外部から放射される熱を受けて遠赤外線に転化できる材料であって、例えばＡｌ2Ｏ3、ＳｉＯ2、ＴｉＯ2、Ｃｒ2Ｏ3、ＺｒＯ2、ＭｇＯ、Ｆｅ2Ｏ3などの金属酸化物；ＳｉＣ、ＴｉＣ、ＺｒＣ、Ｂ4Ｃなどの炭素化合物；Ｓｉ3Ｎ4、ＢＮ、ＡｌＮなどの窒化物；またはそれらの２以上の複合体などのいわゆる遠赤外線放射性セラミクスが使用可能である。遠赤外線放射素材の使用によって、保温効果を高めることができる。
金属箔としてはアルミニウム箔などがあり、本体シートを構成する不織布に積層して使用できる。金属箔の使用によって保温効果を高めることができる。
【００５４】
鉄粉含有発熱材料は、鉄粉が空気中の酸素および水分と反応する際の反応熱を利用するものであって、例えば、鉄粉と、食塩と、必要に応じて酸化触媒とを含む。鉄粉含有発熱材料は、袋に封入してシート状に構成したものを加温体として使用できる。加温体は、使用時に密封容器から取り出すことによって空気中の酸素と反応して発熱し、マスク本体部内を加温することができる。
血行促進剤としては、例えばサルチル酸メチル、カンファ、メントール類、各種香油類、ヒノキ油、ヒバ油、トウガラシチンキなどが使用できる。血行促進剤を使用すると、揮発性成分が皮膚に浸透して皮下の毛細血管の血行を促進することができる。
マイナスイオン発生素材としては、例えばトルマリン粉末、電気分解アルカリイオン水を使用できる。
磁石は、磁力を皮下の毛細血管に作用させて血行を促進することができる。
【００５５】
吸湿発熱素材は、水分を吸収することにより発熱する機能を備えたものであって、例えばアクリレート系材料、セルロース系材料などがある。吸湿発熱素材は、例えば顔面から発汗される汗を吸収することにより発熱する。
蓄熱シートとしては、ＣＭＣ、ＰＶＡ、アクリル酸ポリマー等のゲル状の蓄熱剤を袋に封入してシート状に構成したものを使用できる。蓄熱シートは、電子レンジ等により加温できる。蓄熱シートをマスクに使用することによって、使用者の顔面を加温することができる。蓄熱シートは、電子レンジ等を用いて加熱すれば使用済み品を再利用できるため、鉄粉含有発熱材料等とは異なり、繰り返して使用できる。
【００５６】
前記機能性材料（遠赤外線放射素材、金属箔、鉄粉含有発熱材料、血行促進剤、マイナスイオン発生素材、磁石、吸湿発熱素材、および蓄熱シートからなる群から選択された１または２以上）は、マスク本体部の一部または全部に積層、含浸等することで使用できる。前記機能性材料の使用位置（例えば加温体の取り付け位置）は特に限定されないが、目頭保温部１ｃ（鼻部保温部）に使用するのが好ましい。前記機能性材料の使用形態（例えば加温体の取り付け形態）は特に限定されず、いかなる形態であってもよい。
前記機能性材料の使用による加温、保温、血行促進などによって、花粉症などのアレルギー性疾患の予防および症状緩和を図ることができる。
【００５７】
＜第１３実施形態＞
図３５は、本発明の第１３実施形態に係るマスク１０Ｇの断面図である。
マスク１０Ｇは、前記機能性材料の使用例である。
マスク１０Ｇの本体シート３は、複数の不織布などからなるシート体１３ａを積層した積層構造を有する。
シート体１３ａ、１３ａ間には、介装層１３ｂが介装されている。介装層１３ｂは、前記機能性材料を含む層である。
【００５８】
本発明のマスクは、袋に封入してマスク封入体とすることができる。特に、前記機能性材料を用いる場合には、袋に封入することによって前記機能性材料の劣化防止を図ることできる。
袋としては、マスクを密封状態で収容できるものが用いられる。袋としては、ガスバリア性を有するものが好適である。例えば、鉄粉含有発熱材料を使用する場合には、マスクの使用前に材料が発熱するのを防ぐために上記材料が酸素に触れるのを防ぐ必要があるが、ガスバリア性を有する袋は、外気中の酸素と上記材料との接触を断つために有効である。
また、袋としては、水分バリア性を有するものを使用することができる。例えば、吸湿発熱素材を使用する場合には、マスクの使用前に材料が発熱するのを防ぐために上記材料が水分に触れるのを防ぐ必要があるが、水分バリア性を有する袋は、外部の水分と上記材料との接触を断つために有効である。
ガスバリア性および水分バリア性が高い材料としては、ポリプロピレン、ポリエチレンおよびポリメチルペンテン等がある。このため、ポリプロピレン、ポリエチレンおよびポリメチルペンテンのうち１または２以上からなる袋を使用することができる。
ポリプロピレン、ポリエチレンおよびポリメチルペンテンは、耐熱性が高く、しかも電子レンジで加熱した場合でも有害物質（有害ガス等）が発生しにくい。このため、マスクに蓄熱シートを使用し、このマスクを袋に入れた状態で蓄熱シートを電子レンジで加温する場合に好適である。
図３６はマスク封入体８１を示すもので、（ａ）は平面図であり、（ｂ）は断面図である。マスク封入体８１は、マスク１０と、マスク１０を封入した袋８０とからなる。マスク１０は、袋８０から取り出して使用できる。
【００５９】
本発明は、前記機能性材料を使用したマスクを提供する。前記機能性材料を使用する場合には非接合部はあってもよいし、なくてもよい。非接合部のないマスクとしては、図３７に示したマスク１１０を例示できる。このマスク１１０は、前方側縁部１０３ａどうしが全長にわたって連続的に接合された一対の本体シート１０３からなるマスク本体部１０１と、耳かけ部１０２とを有する。本体シート１０１と耳かけ部１０２とは縁部の全長にわたって連続的に接合されている。
前記機能性材料は、図３５に示す構造において介装層１３ｂとして使用できる。図３６に示すように、マスク１１０は、袋８０に封入してマスク封入体８１とすることができる。蓄熱シートを使用する場合には、マスク１１０を電子レンジで処理することで蓄熱シートを加温することができる。マスク１１０は、袋８０に入れた状態で電子レンジで処理することもできる。マスク１１０は、非接合部以外の構成については、上述の第１〜第１３実施形態の構成を採用することができる。
マスク１１０は、シートからなるマスク本体部１０１と、マスク本体部１０１の両側部にそれぞれ設けられたシートからなる耳かけ部１０２とを備え、マスク本体部１０１に前記機能性材料が使用されている。前記機能性材料は、マスク本体部１０１の一部または全部に積層して用いることができる。なお、前記機能性材料は、マスク本体部１０１に対していかなる形態で装着してもよい。
【符号の説明】
【００６０】
１・・・マスク本体部、２・・・耳かけ部、２ａ・・・耳かけ部の前縁部、３・・・本体シート、３ａ・・・本体シートの前方側縁部（一方の側縁部）（前縁部）、３ｂ・・・本体シートの後方側縁部（他方の側縁部）（後縁部）、３ｃ・・・本体シートの内面、３ｆ・・・本体シートの前方側縁部の上端部、３ｇ・・・前端縁（一方の端縁）、４・・・本体シートの前方側縁部の重なり部分、５・・・接合部（一方側の接合部）、６・・・非接合部（一方側の非接合部）、７・・・耳かけ穴、８・・・本体シートの後方側縁部と耳かけ部の前縁部との重なり部分、１０、２０、３０、４０、５０、１０Ａ〜１０Ｇ・・・マスク、１１・・・本体シートの前方側縁部の隙間、１２・・・本体シートの後方側縁部と耳かけ部の前縁部との隙間、１３ａ・・・シート体、１３ｂ・・・介装層（機能性材料を含む層）、１５・・・後方接合部（他方側の接合部）、１６・・・後方非接合部（他方側の非接合部）、１７・・・端部非接合部、５３・・・カバーシート、３５、５５、７５・・・接合部、５６、７６・・・非接合部、６０・・・使用者、６１・・・鼻部、６１ｂ・・・鼻部の上端、６２・・・口部、８０・・・袋、８１・・・マスク封入体、Ｐ１・・・上辺部、Ｐ２・・・下辺部。
【図１】
2012254272.tif 000003
【図２】
2012254272.tif 000004
【図３】
2012254272.tif 000005
【図４】
2012254272.tif 000006
【図５】
2012254272.tif 000007
【図６】
2012254272.tif 000008
【図７】
2012254272.tif 000009
【図８】
2012254272.tif 000010
【図９】
2012254272.tif 000011
【図１０】
2012254272.tif 000012
【図１１】
2012254272.tif 000013
【図１２】
2012254272.tif 000014
【図１３】
2012254272.tif 000015
【図１４】
2012254272.tif 000016
【図１５】
2012254272.tif 000017
【図１６】
2012254272.tif 000018
【図１７】
2012254272.tif 000019
【図１８】
2012254272.tif 000020
【図１９】
2012254272.tif 000021
【図２０】
2012254272.tif 000022
【図２１】
2012254272.tif 000023
【図２２】
2012254272.tif 000024
【図２３】
2012254272.tif 000025
【図２４】
2012254272.tif 000026
【図２５】
2012254272.tif 000027
【図２６】
2012254272.tif 000028
【図２７】
2012254272.tif 000029
【図２８】
2012254272.tif 000030
【図２９】
2012254272.tif 000031
【図３０】
2012254272.tif 000032
【図３１】
2012254272.tif 000033
【図３２】
2012254272.tif 000034
【図３３】
2012254272.tif 000035
【図３４】
2012254272.tif 000036
【図３５】
2012254272.tif 000037
【図３６】
2012254272.tif 000038
【図３７】
2012254272.tif 000039